(57)【要約】【課題】段ボールで構成された簡単な構造で、かつ、簡単な手順で、メール便で物品を保護して発送することができるメール便用段ボール梱包具を提供する。【解決手段】物品を収容し、メール便で発送するためのメール便用段ボール梱包具であって、敷板、中敷及び上板を有し、前記中敷は周囲に枠が形成され、枠内にはミシン目によって複数の取り外し可能なパーツが形成されており、両面テープによって中敷は敷板に固定されており、両面テープは中敷の枠と当接する部分は枠に付着されており、前記パーツと当接する部分には剥離紙が取り付けられているために、前記パーツは両面テープには付着されておらず、ミシン目に沿って取り外し可能であり、パーツを取り外した部分が物品を収容する空間となり、前記上板は両面テープが付着された枠が周囲に設けられており、枠の両面テープの剥離紙を取り外すと中敷の枠に固定することができ、前記上板にはミシン目が設けられている。【選択図】図１
0003234492.tif 000002
【実用新案登録請求の範囲】
【請求項１】
物品を収容し、メール便で発送するためのメール便用段ボール梱包具であって、
矩形の敷板、
前記敷板の表面に固定された矩形の中敷、及び、
矩形の上板を有し、
前記敷板、前記中敷、及び、前記上板は段ボールで形成されており、
前記中敷は、周囲に枠が形成され、前記枠内には、ミシン目によって複数の取り外し可能なパーツが形成されており、前記中敷の裏面に設けられた両面テープによって、前記中敷は前記敷板に固定されており、前記両面テープは、前記中敷の枠と当接する部分は前記枠に付着されており、前記中敷の複数の前記パーツと当接する部分には剥離紙が取り付けられているために前記パーツは前記両面テープには付着されておらず、前記パーツは前記ミシン目に沿って切り取ると前記中敷から取り外し可能であり、前記パーツを取り外した部分が、前記物品を収容する空間となり、
前記上板は、両面テープが付着された枠が周囲に設けられており、前記上板の枠の両面テープの剥離紙を取り外すと前記中敷の枠に固定することができ、前記上板は、前記上板を破るためのミシン目が設けられていることを特徴とする、メール便用段ボール梱包具。
【請求項２】
前記中敷きの厚みは、前記敷板及び前記上板の厚みよりも大きいことを特徴とする、請求項１に記載のメール便用段ボール梱包具。
【請求項３】
前記上板のミシン目は、前記上板の枠の内側、及び、前記上板を左右又は上下に２つに分割する位置に設けられていることを特徴とする請求項１又は２に記載のメール便用段ボール梱包具。
【考案の詳細な説明】
【技術分野】
【０００１】
本考案は、物品をメール便で発送する際に使用するメール便用段ボール梱包具に関する。
【背景技術】
【０００２】
物品をメール便などで発送するために封筒等が用いられており、従来の封筒だけでなく、メール便用の梱包具（特許文献１）等も存在している。従来の封筒も発送する物品を保護するために、段ボールの封筒（特許文献２〜４）等も用いられている。
【０００３】
段ボールの封筒は、従来の封筒と類似の形状であり、段ボールで形成することで従来の封筒よりも厚みは大きくなっており、封筒内の物品を保護する効果はあるが、封筒の形状では物品を封筒内に入れた場合、発送途中で封筒内で物品が動いて封筒内で擦れる、あるいは、複数の物品を入れた場合は互いに衝突して傷つくという問題があった。特許文献１のメール便用の梱包具は、物品を収容する空間を設け、透明で伸縮性を有するカバーフィルムを用いて物品を固定する方法を用いていることから、このような問題を解決することができる。しかしながら、特許文献１のようなメール便用の梱包具は、上述のように透明で伸縮性を有し、さらに、破れない強度が必要となるフィルムを用いていることから、廃棄時にはゴミの分別作業が必要となりエコではなく、さらに、従来の段ボールの封筒よりも構造が複雑となり、コストが増加するという問題がある。
【先行技術文献】
【特許文献】
【０００４】
【特許文献１】特開２００６−１２３９２２号公報
【特許文献２】実用新案登録第３０９４２３２号公報
【特許文献３】実用新案登録第３１６３８２２号公報
【特許文献４】実用新案登録第３１９５８３３号公報
【考案の概要】
【考案が解決しようとする課題】
【０００５】
本考案は、段ボールで構成された簡単な構造で、かつ、簡単な手順で、メール便で物品を発送することができ、発送時に物品を保護し、さらに、物品を固定して収容することが可能であり、収容する物品の大きさに合わせて物品を収容する空間の大きさ及び数を変更することができる、メール便用段ボール梱包具を提供することを目的とする。
【課題を解決するための手段】
【０００６】
本考案のメール便用段ボール梱包具は、矩形の敷板、前記敷板の表面に固定された矩形の中敷、及び、矩形の上板を有し、前記敷板、前記中敷、及び、前記上板は段ボールで形成されており、前記中敷は、周囲に枠が形成され、前記枠内には、ミシン目によって複数の取り外し可能なパーツが形成されており、前記中敷の裏面に設けられた両面テープによって、前記中敷は前記敷板に固定されており、前記両面テープは、前記中敷の枠と当接する部分は前記枠に付着されており、前記中敷の複数の前記パーツと当接する部分には剥離紙が取り付けられているために前記パーツは前記両面テープには付着されておらず、前記パーツは前記ミシン目に沿って切り取ると前記中敷から取り外し可能であり、前記パーツを取り外した部分が、前記物品を収容する空間となり、前記上板は、両面テープが付着された枠が周囲に設けられており、前記上板の枠の両面テープの剥離紙を取り外すと前記中敷の枠に固定することができ、前記上板は、前記上板を破るためのミシン目が設けられていることを特徴とする。
【０００７】
前記中敷きの厚みは、前記敷板及び前記上板の厚みよりも大きくすることが好ましい。
【０００８】
前記上板のミシン目は、前記上板の枠の内側、及び、前記上板を左右又は上下に２つに分割する位置に設けられている。
【考案の効果】
【０００９】
本考案のメール便用段ボール梱包具は、矩形の敷板、前記敷板の表面に固定された矩形の中敷、及び、矩形の上板を有し、前記敷板、前記中敷、及び、前記上板は段ボールで形成されており、前記中敷は、周囲に枠が形成され、前記枠内には、ミシン目によって複数の取り外し可能なパーツが形成されており、前記中敷の裏面に設けられた両面テープによって、前記中敷は前記敷板に固定されており、前記両面テープは、前記中敷の枠と当接する部分は前記枠に付着されており、前記中敷の複数の前記パーツと当接する部分には剥離紙が取り付けられているために前記パーツは前記両面テープには付着されておらず、前記パーツは前記ミシン目に沿って切り取ると前記中敷から取り外し可能であり、前記パーツを取り外した部分が、前記物品を収容する空間となり、前記上板は、両面テープが付着された枠が周囲に設けられており、前記上板の枠の両面テープの剥離紙を取り外すと前記中敷の枠に固定することができ、前記上板は、前記上板を破るためのミシン目が設けられていることにより、メール便で送る物品を発送する際に、ガムテープ、接着剤などを用いることなく、簡単な手順で物品を梱包することができ、物品を保護して安全に発送することができ、さらに、発送する物品に応じて、物品を収容する空間の大きさ及び数を簡単に変更することができる。
【図面の簡単な説明】
【００１０】
【図１】メール便用段ボール梱包具の斜視図である。
【図２】敷板の平面図である。
【図３】中敷の平面図である。
【図４】上板の平面図である。
【図５】中敷の両面テープの平面図である。
【図６】メール便用段ボール梱包具に物品を収容する空間を設けた状態の斜視図である。
【図７】メール便用段ボール梱包具の物品を収容する空間の一部の剥離紙を剥がした状態の斜視図である。
【図８】メール便用段ボール梱包具の物品を収容する空間に物品を収容した状態の斜視図である。
【図９】メール便用段ボール梱包具に物品を収容した後、上板を固定した状態の斜視図である。
【図１０】メール便用段ボール梱包具に物品を収容する２つの空間を設けた状態の斜視図である。
【考案を実施するための形態】
【００１１】
本考案のメール便用段ボール梱包具１について、図１〜７を用いて以下に詳細に説明する。本考案のメール便用段ボール梱包具１は、物品をメール便で発送する際に使用するものであり、図１に示すように、敷板２、両面テープ３０で前記敷板２に固定された中敷３、及び、両面テープ４０で前記敷板２に固定することができる上板４で構成され、メール便で物品を梱包して発送する際に使用する。
【００１２】
前記敷板２、前記中敷３及び前記上板４は段ボールで形成された同じ大きさを有する矩形の板状であり、製品として販売されるときは、前記敷板２に前記中敷３は両面テープ３０で固定されており、前記上板４は前記中敷３とは固定されておらず、分離した状態となっている。そして、本考案のメール便用段ボール梱包具１で物品を梱包して発送する際には、前記上板４を両面テープ４０で前記中敷３に固定することで物品を収容して閉じた状態とする。
【００１３】
本考案のメール便用段ボール梱包具１は、様々なメール便に対応するために、最大サイズを、縦３１．２ｃｍ、横２２．８ｃｍ、厚み２．５ｃｍとすることが好ましい。本考案のメール便用段ボール梱包具１の大きさは、このようなメール便に対応可能な範囲であれば、縦、横、厚みを変更することが可能であり、複数のサイズのメール便用段ボール梱包具１を用意することも可能である。
【００１４】
前記敷板２は、図２に示すように、段ボールをメール便に対応した大きさ及び矩形に切断して形成した矩形の板状の部材である。前記中敷３は、前記敷板２と同じ大きさを有する段ボールで形成した板状の部材であり、図３に示すように、矩形の枠３１、及び、前記枠３１内にミシン目３３によって形成され、縦横に配置された複数の取り外し可能なパーツ３２、前記敷板２と当接する面に設けられた両面テープ３０で構成されている。前記中敷３には複数のミシン目３３が形成されており、前記ミシン目３３は、前記枠３１の内縁に沿って形成されており、さらに、前記枠３１の内側には縦横に形成されており、このようなミシン目３３によって複数のパーツ３２が取り外し可能に形成されている。複数の前記パーツ３２は、前記ミシン目３３を利用して、互いに切り取り可能であり、また、前記枠３１からも切り取り可能であることから、必要に応じて前記中敷３から取り外し可能となっている。前記パーツ３２の個数及び形状については特に限定するものではなく、様々な変更が可能である。前記パーツ３２は、図６，１０に示すように、選択して前記中敷３から取り外すことができ、前記パーツ３２を取り外して形成された空間が物品１０を収容する空間となる。
【００１５】
前記中敷３の前記敷板２に固定される面には、図５に示すような両面テープ３０が取り付けられており、前記両面テープ３０によって前記中敷３は前記敷板２に固定されている。前記両面テープ３０は、前記中敷３の枠３１と当接する部分だけが、前記中敷３に対して付着されており、複数の前記パーツ３２と当接する部分には、複数の剥離紙３４が備えられている。これにより、複数の前記パーツ３２は、前記両面テープ３０とは付着されていないことから、前記敷板２に対し手も固定されておらず、前記中敷３から取り外し可能な状態となっている。図５は、前記両面テープ３０の前記中敷３と当接する表面を表しており、前記敷板２と当接する裏面（図示せず）は全面が前記敷板２に付着されている。また、前記剥離紙３４は、前記ミシン目３３に対応する切り取り線又はミシン目が設けられており、図７に示すように、物品１０を固定するのに必要な場所だけを取り外すことができる。
【００１６】
前記上板４は、図４に示すように、矩形の枠４１を有し、前記枠４１の内側及び中央の縦方向の２列にミシン目４３が形成されており、前記ミシン目４３によって、前記上板４は、前記枠４１以外の部分を破いて取り外すことができる。前記上板４は、前記枠４１の裏面だけに両面テープ４０が取り付けられており、前記両面テープ４０の表面が前記枠４１の裏面に付着され、前記両面テープ４０の裏面は剥離紙（図示せず）が取り付けられた状態となっている。そのため、前記上板４は、前記敷板２及び前記中敷３とは分離された状態となっており、剥離紙を剥がすと、前記中敷３に固定することができる。そして、前記上板４を前記中敷３に固定した状態から、前記ミシン目４３を利用して、前記枠４１以外の部分を取り外すことができる。
【００１７】
前記上板４は、中央の２列のミシン目４３の間に、複数の矢印状の切り取り線が設けられている。これにより、２列のミシン目４３を利用して中央部分を破いて取り外し易くなっており、その後、前記枠４１の内側のミシン目４３を利用して残りの部分を取り外すと、前記メール便用段ボール梱包具１をスムーズに開封することができる。ミシン目４３を利用した開封構造は、図に示す形態に限定するものではなく、ミシン目４３の向き、数等を変更して様々な形態とすることができる。
【００１８】
前記敷板２、前記中敷３、及び、前記上板４の厚みについては、メール便用段ボール梱包具１をメール便に対応させるために、厚みの合計を２．５ｃｍ以下とする。さらに、前記中敷３によって物品１０を収容する空間を形成することから、前記中敷３の厚みを、前記敷板２及び前記上板４よりも厚くすることが好ましい。例えば、前記敷板２及び前記上板４の厚みを３ｍｍとした場合、前記中敷３の厚みを８ｍｍとすることができる。この場合、前記メール便用段ボール梱包具１の厚みは１．４ｃｍとなることから、メール便対応サイズに収まる。厚みの数値については、これらに限定するものではなく、例えば、前記中敷３の厚みをさらに厚くして、物品を収容する空間を厚み方向に大きくすることも可能であり、さらに、前記敷板２及び前記上板４の厚みを互いに異なる厚みとすることも可能である。
【００１９】
本考案のメール便用段ボール梱包具１の使用方法について、図１，６〜１０を用いて説明する。メール便用段ボール梱包具１は、図１の状態で販売されることから、初めに、発送する物品１０を収容するための空間を形成する。そのために、図６に示すように、前記物品１０の大きさに合わせて複数のパーツ３２を取り外す。図６の場合、前記中敷３の中央に位置する１２個のパーツ３２を取り外して、前記物品１０を収容する空間を形成する。
【００２０】
次に、前記物品１０を前記空間に収容するだけでなく、前記空間内で固定するために、図７に示すように、前記空間に露出された剥離紙３４から２つだけを取り除いて、前記両面テープ３０の粘着面を露出させる。その後、図８に示すように、前記空間に前記物品１０を収容し、前記両面テープ３０に前記物品１０を付着させて固定する。これにより、前記物品１０は前記空間内に固定された状態で収容することができる。前記剥離紙３４は必要な個所だけを取り除けばよいが、全ての剥離紙３４を取り除くことも可能である。前記物品１０を両面テープに付着させたくない場合は、前記剥離紙３４を取り除かないでその上に前記物品１０を載せて収容することもできる。
【００２１】
前記中敷３に前記物品１０を収容した後は、前記上板４の枠４１の両面テープ４０の剥離紙を取り除いて、前記上板４の枠４１を前記中敷３の枠３１に固定する。このようにして、前記上板４を固定すると、図９に示すように、前記中敷３は前記敷板２と前記上板４とによって挟まれた状態となり、前記メール便用段ボール梱包具１は、物品１０を発送可能な状態となる。
【００２２】
このような状態のメール便用段ボール梱包具１は、前記物品１０を段ボールで形成した前記敷板２、前記中敷３及び前記上板４で囲んで収容していることから、前記物品１０を発送時の衝撃等から保護することができ、また、前記両面テープ３０を利用して前記物品１０を前記中敷３の収容空間内で固定していることから、発送時に前記メール便用段ボール梱包具１内で動いて擦れて傷つくことも防止することができる。
【００２３】
図９に示す状態で、メール便用段ボール梱包具１を受け取った人は、前記上板４のミシン目４３を利用して、前記上板４を破いて前記物品１０を取り出すことができる。この際に、前記上板４の枠４１の内側のミシン目４３を利用して、前記枠４１の内側の部分を全て綺麗に取り除くと、
前記枠４１だけが残るので、メール便用段ボール梱包具１を物を飾るためのフレームとして使用することも可能となる。
【００２４】
前記中敷３に物品１０を収容する空間を形成する際に、図１０に示すように、２か所に分けて前記パーツ３２を取り除いて複数の空間を形成することも可能である。これにより、複数の物品を分けて収容することも可能となる。前記空間は２つだけでなく、３つ以上同時に形成することも可能であり、図６，１０に示すように矩形に前記パーツ３２を取り除くだけでなく、物品１０の形状合わせて、複雑な形状の空間となるように前記パーツ３２を取り除くことも可能である。このように、本考案のメール便用段ボール梱包具１は、収容する物品の数及び形状に合わせて、物品を収容する空間の数及び形状を選択することができるので、様々な物品をより安全に梱包し発送することが可能となる。前記中敷３のパーツ３２の大きさを小さくして、個数を増やすことにより、より複雑な形状の物品に合わせた収容するための空間を形成することも可能となる。
【符号の説明】
【００２５】
１      メール便用段ボール梱包具
２      敷板
３      中敷
３０    両面テープ
３１    枠
３２    パーツ
３３    ミシン目
３４    剥離紙
４      上板
４０    両面テープ
４１    枠
４３    ミシン目
１０    物品
【図１】
0003234492.tif 000003
【図２】
0003234492.tif 000004
【図３】
0003234492.tif 000005
【図４】
0003234492.tif 000006
【図５】
0003234492.tif 000007
【図６】
0003234492.tif 000008
【図７】
0003234492.tif 000009
【図８】
0003234492.tif 000010
【図９】
0003234492.tif 000011
【図１０】
0003234492.tif 000012